(57)【要約】【課題】従来の折畳み可能な自立式物干し具では、その折畳み状態においてもかなりの厚さがあるので、保管時に嵩張る（広い保管スペースが必要となる）。【解決手段】鉛直方向に向く１本の基側脚１と、横アーム（２１，３１，４１，５１）の先端部に先側脚（２０，３０，４０，５０）を鉛直方向に向く姿勢で固定してなる複数個の可動体２〜５とを有し、各横アームの各基端部を基側脚１に対して鉛直方向に向く支軸１１で枢支して、各可動体２〜５がそれぞれ支軸１１を中心にして水平回動し得るようにしている一方、各横アームを平面視で各先側脚の同じ側の側面部にあって側面視で相互に干渉しないように上下にずらせて配置しているとともに、各先側脚を物干し具の折畳み状態において水平方向に重合しない位置に配置していることにより、折畳み状態で物干し具の全体厚さを非常に薄くできるようにしている。【選択図】  図１
2010259711.tif 000002
【特許請求の範囲】
【請求項１】
鉛直方向に向く１本の基側脚（１）と、横アーム（２１，３１，４１，５１）の先端部に先側脚（２０，３０，４０，５０）を鉛直方向に向く姿勢で固定してなる複数個の可動体（２，３，４，５）とを有し、
前記各横アーム（２１，３１，４１，５１）の各基端部を前記基側脚（１）に対して鉛直方向に向く支軸（１１）で枢支して、前記各可動体（２，３，４，５）がそれぞれ前記支軸（１１）を中心にして水平回動し得るようにしている一方、
前記各横アーム（２１，３１，４１，５１）は、平面視で前記各先側脚（２０，３０，４０，５０）の同じ側の側面部にあって側面視で相互に干渉しないように上下にずらせて配置しているとともに、
前記各先側脚（２０，３０，４０，５０）は、物干し具の折畳み状態において水平方向に重合しない位置に配置している、
ことを特徴とする折畳み可能な自立式物干し具。
【発明の詳細な説明】
【技術分野】
【０００１】
本願発明は、不使用時に折畳むことができ、使用時に開放させて自立できる構造の物干し具（折畳み可能な自立式物干し具）に関するものである。
【背景技術】
【０００２】
この種の折畳み可能な自立式物干し具として、従来から、図６及び図７に示すもの（第１従来例）や、図８及び図９に示すもの（第２従来例）が知られている。尚、図６及び図７の第１従来例のものは特開２００８−２７９１９９号公報（特許文献１）のものであり、図８及び図９の第２従来例のものは特開２００４−２４７２８号公報（特許文献２）のものである。
【０００３】
図６及び図７に示す第１従来例の物干し具は、側面視が四角形の３つの枠体１０１，１０２，１０３をそれぞれ縦向き姿勢でその左右各側部同士を順次クロスリンク１２１，１２１、１２２，１２２で連結して、各枠体１０１，１０２，１０３が相互に近接・離間し得る（折畳み可能となる）ように構成している。隣接する各枠体（１０１と１０２、１０２と１０３）間の上部には、前後方向に向く横架材１３１，１３１・・が架橋・架橋解除自在に架設されている。尚、この各横架材１３１には、図示省略しているが多数の吊り具が取付けられている。
【０００４】
そして、この第１従来例の物干し具では、図６に示すように各枠体１０１，１０２，１０３をそれぞれ離間させると、各枠体１０１，１０２，１０３の各脚部（合計６つ）が広面積範囲に接地して、この物干し具を安定姿勢で自立させることができる一方、図７に示すように各枠体１０１，１０２，１０３をそれぞれ近接させると、前後方向にかなり小さく折畳むことができるようになっている。
【０００５】
ところで、この第１従来例（図６、図７）の物干し具では、隣接する各枠体（１０１と１０２、１０２と１０３）間にそれぞれクロスリンク１２１，１２２が介在されているので、図７に示す折畳み状態であっても前後にかなりの厚さＴを有するようになる。
【０００６】
他方、図８及び図９に示す第２従来例の物干し具は、側面視が四角形の５つの枠体２０１〜２０５を有し、その各枠体の基側脚２１１〜２１５を近接させた状態で連結材２３１，２３１・・により回動可能に枢支して、各枠体２０１〜２０５の先側脚２２１〜２２５側がそれぞれの基側脚２１１〜２１５を中心にして水平回動し得るように構成している。尚、各枠体２０１〜２０５の各基側脚２１１〜２１５は、隣接する２本を順次上下２箇所ずつ連結材２３１，２３１・・で連結している。
【０００７】
そして、この第２従来例の物干し具では、図８に示すように各枠体２０１〜２０５を水平方向に大きく開くと、近接位置にある５本の基側脚２１１〜２１５と所定角度間隔で離間している５本の先側脚２２１〜２２５とが広面積範囲に接地して、この物干し具を安定姿勢で自立させることができる一方、図９に示すように各枠体２０１〜２０５の先側脚２２１〜２２５をそれぞれ近接させると、かなり小さく折畳むことができるようになっている。
【０００８】
ところで、この第２従来例（図８、図９）の物干し具では、図９に示す折畳み状態であっても、各枠体２０２〜２０５が相互に近接する状態までしか折畳むことができず、最終折畳み状態でもかなりの厚さＵを有するようになる。
【先行技術文献】
【特許文献】
【０００９】
【特許文献１】特開２００８−２７９１９９号公報
【特許文献２】特開２００４−２４７２８号公報
【発明の概要】
【発明が解決しようとする課題】
【００１０】
ところが、上記第１従来例（図６、図７）及び上記第２従来例（図８、図９）の各物干し具では、いずれも使用時に自立させることができる一方、不使用時には折畳んでおくことができるが、各折畳み状態（図７及び図９）においてそれぞれかなりの厚さがあって（図７の場合は厚さＴ、図９の場合は厚さＵ）、持ち運びに不便であるとともに保管時に嵩張る（広い保管スペースが必要となる）という問題があった。
【００１１】
そこで、本願発明は、使用時に安定姿勢で自立させることができるとともに、不使用時（保管時）に一層小さく折畳むことができるようにした、折畳み可能な自立式物干し具を提供することを目的としている。
【課題を解決するための手段】
【００１２】
本願発明は、上記課題を解決するための手段として次の構成を有している。尚、本願発明は折畳み可能な自立式物干し具を対象としている。
【００１３】
そして、本願発明の折畳み可能な自立式物干し具は、鉛直方向に向く１本の基側脚と、横アームの先端部に先側脚を鉛直方向に向く姿勢で固定してなる複数個の可動体とを有し、各横アームの各基端部を基側脚に対して鉛直方向に向く支軸で枢支して、各可動体がそれぞれ支軸を中心にして水平回動し得るように構成している。
【００１４】
本願の物干し具では、１本の基側脚に対して複数個の可動体が使用されるが、この可動体の個数は２個以上であれば実施可能である（具体的には、該可動体は３〜５個程度が適当である）。各可動体の横アームは、洗濯物等の干し物を直接掛けたり、あるいは干し物を掛けたハンガーのフックを引っ掛けたりするための干し部となるものである。この横アームは、各先側脚についてそれぞれ１本ずつでもよいが、各先側脚に対して上下に適宜間隔をもたせた状態で２〜３本程度ずつ設けたものが好適である。尚、本願の物干し具の材料としては、木材、プラスチック材、金属材（例えばアルミニウム）等の適宜のものが使用できる。
【００１５】
又、本願の物干し具では、各可動体の各横アームを、平面視で各先側脚の同じ側の側面部にあって側面視で相互に干渉しないように上下にずらせて配置している。
【００１６】
さらに、本願の物干し具では、各先側脚を、物干し具の折畳み状態において水平方向に重合しない位置に配置している。
【００１７】
本願の物干し具は、次のような機能がある。
【００１８】
まず、使用時には、各可動体を基側脚の支軸部分を中心に順次所定角度をもたせて開くと、基側脚と複数の先側脚が接地する面積範囲が広くなって、この物干し具を安定姿勢で自立させることができる。尚、隣接する２個の可動体間の開放角度は、該可動体の使用個数によって適宜に設定できる。そして、この使用状態では、各可動体の横アーム部分に干し物を掛けて干すことができる。
【００１９】
他方、不使用時には、各可動体を完全に折畳む。この折畳み状態では、各可動体の各横アームが側面視において上下に位置ずれしており、且つ各可動体の各先側脚が平面視において１列状に並んだ状態となる。従って、本願の物干し具では、各可動体間の開放角度をそれぞれ「０」にでき、折畳んだ状態での物干し具の全体厚さが、１つの可動体の厚さ（先側脚厚さと横アーム厚さとの合計厚さ）に収まるようになる。
【発明の効果】
【００２０】
このように、本願発明の物干し具は、使用時には各可動体を開放させることにより安定姿勢で自立させることができる（物干し状態で倒れにくい）とともに、不使用時には１つの可動体厚さの範囲に収まるように折畳むことができるので、非常にコンパクトになって、持ち運びが容易になるとともに、嵩張らないので保管スペースが小さくてよいという効果がある。
【図面の簡単な説明】
【００２１】
【図１】本願実施例の物干し具の折畳み状態での正面図である。
【図２】図１の物干し具の平面図である。
【図３】図１のIII−III拡大矢視図である。
【図４】図１のIV−IV拡大断面図である。
【図５】図１の物干し具の使用状態（開放状態）を示す斜視図である。
【図６】第１従来例の物干し具の使用状態（開放状態）を示す斜視図である。
【図７】図６の物干し具の折畳み状態を示す側面図である。
【図８】第２従来例の物干し具の使用状態（開放状態）を示す斜視図である。
【図９】図８の物干し具の折畳み状態を示す側面図である。
【発明を実施するための形態】
【実施例】
【００２２】
図１〜図５を参照して本願発明の実施例を説明すると、この実施例の物干し具は、鉛直方向に向く１本の基側脚１と、横アーム（２１，３１，４１，５１）の先端部（図１における左端部）に先側脚（２０，３０，４０，５０）を鉛直方向に向く姿勢で固定してなる複数個の可動体（２，３，４，５）とを有し、各横アーム（２１，３１，４１，５１）の各基端部（図１における右端部）を基側脚１に対して鉛直方向に向く支軸１１で枢支して、各可動体（２，３，４，５）がそれぞれ支軸１１を中心にして水平回動し得るように構成している。
【００２３】
尚、以下の説明では、図１に示す状態において、左右方向を左右といい、前後方向（奥行き方向）を厚さということがある。又、以下に示す各種寸法は、それぞれ一例を示すもので、特に限定するものではない。
【００２４】
又、この実施例では、基側脚１及び各可動体（２，３，４，５）に木材を使用しているが、他の実施例では、これらの部材（１，２，３，４，５）にプラスチック材や金属材（例えばアルミニウム）を使用してもよい。
【００２５】
基側脚１は、例えば左右幅が３cmで厚さが２cm程度の角材で、１１０cm程度の長さのものが使用されている。
【００２６】
可動体（２，３，４，５）は、この実施例では合計４個使用されている。尚、以下の説明では、４個の可動体を、図１に示す状態で外側（左側）から順次第１可動体２、第２可動体３、第３可動体４、第４可動体５ということがある。
【００２７】
第１〜第４の各可動体２，３，４，５は、それぞれ１本の先側脚（２０，３０，４０，５０）に対して横アーム（２１，３１，４１，５１）を上下に所定間隔（例えば３０cm程度の間隔）をもって３本使用している。即ち、第１〜第４の各可動体２，３，４，５には、それぞれ上下３段の横アーム（２１，２１，２１、３１，３１，３１、４１，４１，４１、５１，５１，５１）が使用されている。
【００２８】
各可動体２，３，４，５の各先側脚２０，３０，４０，５０は、基側脚１よりやや細い角材（左右幅が２.５cmで厚さが２cm程度）で該基側脚１と同長さ（１１０cm）のものが使用されている。
【００２９】
各可動体２，３，４，５の横アーム２１，３１，４１，５１は、細棒状の角材（上下幅が２cmで厚さが１.５cm程度）で、順次長さが異なるものが使用されている。即ち、この各横アーム２１，３１，４１，５１の長さは、図１に示すように各可動体２，３，４，５を折畳んだときに各先側脚２０，３０，４０，５０を内外方向（左右方向）に位置ずれさせる関係から、各先側脚（２０，３０，４０，５０）の左右幅（２.５cm）ずつ順次短くしたものを使用している。具体的には、この実施例では、第１可動体２の横アーム２１の長さを６３cm、第２可動体３の横アーム３１長さを６０.５cm、第３可動体４の横アーム４１の長さを５８cm、第４可動体５の横アーム４１の長さを５５.５cm、にそれぞれ設定している。
【００３０】
そして、第１〜第４の各可動体２，３，４，５は、図１に示すように、長さの異なる各横アーム２１，３１，４１，５１（それぞれ３本ずつある）の各先端部（図１の左端部）をそれぞれの先側脚（２０，３０，４０，５０）の側面部にビス１２，１２・・で固定して、各１本の先側脚（２０，３０，４０，５０）につき３本ずつの横アーム（２１，３１，４１，５１）をそれぞれ水平姿勢で上下３段に組付けて構成している。その際、各横アーム２１，３１，４１，５１（それぞれ３本ずつある）は、３段共に長さの長いものが上で相互に干渉しない状態で順次下方にずらせて配置している。即ち、この実施例では、各可動体２，３，４，５の各横アーム２１，３１，４１，５１を、該横アームの上下幅（約２cm）ずつ上下にずらせた状態で配置している。尚、各横アーム２１，３１，４１，５１の先端部（図１の左端部）は、それぞれの先側脚２０，３０，４０，５０の外側端面からはみ出さない状態で連結している。
【００３１】
又、第１〜第４の各可動体２，３，４，５は、各横アーム２１，３１，４１，５１（それぞれ上下３段ある）の各基端部（図１の右端部）を基側脚１の左側面の近傍位置においてそれぞれ支軸１１，１１，１１（上下に間隔をもって３箇所にある）で枢支している。具体的には、基側脚１の左側面に上下に所定間隔をもって上下４つの軸保持材１０，１０・・を固定し、該各軸保持材１０，１０・・間の各間隔（３箇所ある）内にそれぞれ４本（３組ある）の横アーム２１，３１，４１，５１の各基端部を挿入した状態で、該各組の横アーム基端部（各段に４つずつある）をそれぞれ縦向きの支軸１１，１１，１１で枢支している。尚、基側脚１の下端と各可動体２，３，４，５の先側脚２０，３０，４０，５０の各下端は、各横アーム２１，３１，４１，５１が水平姿勢状態において同高さに位置している。
【００３２】
このように構成された物干し具では、各可動体２，３，４，５の各横アーム基端部が基側脚１の各支軸１１，１１，１１で枢支されているので、該各可動体２，３，４，５がそれぞれ支軸１１，１１，１１部分を中心にして個別に水平回動し得るようになっている。即ち、第１〜第４の各可動体２，３，４，５は、図２において実線図示するように平面視で完全に重合する折畳み状態から、鎖線図示（符号２′，３′，４′，５′）するように各可動体を水平方向に所定角度だけ開放させ得るようにようになっている。尚、この実施例の物干し具を最大開放させた状態では、図２に鎖線図示するように第１可動体２′と第４可動体５′とが角度１８０°を超えた位置まで開放できるとともに、その両可動体（第１可動体２′と第４可動体５′）間に第２可動体３′と第３可動体４′とを任意の角度方向に向けて位置させることができる。
【００３３】
ところで、各可動体２，３，４，５を相互に折畳んだ状態（図１の状態及び図２の実線図示状態）では、各可動体２，３，４，５の各横アーム２１，３１，４１，５１が、図３に示すように側面視において上下１列状に並んでいて、平面視において上下に重合している。又、この折畳み状態では、各可動体２，３，４，５の各先側脚２０，３０，４０，５０が、図２及び図４に示すように平面視において左右１列状に並んでいて、側面視において内外方向（左右方向）に重合している。
【００３４】
従って、この実施例の物干し具では、折畳み状態において各可動体２，３，４，５間の開放角度をそれぞれ「０」にでき、物干し具の全体厚さＳを、１つの可動体（例えば第１可動体２）の厚さ（先側脚２０の厚さと横アーム２１の厚さとの合計厚さで３.５cm）に収めることができる。このように、折畳み状態では、物干し具の全体厚さＳが非常に薄くなり（コンパクトになる）、該物干し具の持ち運びが容易となるとともに、嵩張らないので狭い保管スペースに保管できる。
【００３５】
ところで、物干し具の折畳み状態では、図１に示すように内外方向（左右方向）に隣接する２つの可動体（２と３、３と４、４と５）において外側の可動体（例えば第１可動体２）の横アーム（例えば２１）が内側の可動体（例えば第２可動体３）の先側脚（例えば３０）の側面に接合する位置に横たわっているので、外側の可動体は内側の可動体に対して図２の下側に回動できるものの図２に上側には回動できないようになっている。例えば、図１において後述のロックレバー１３がない状態では、最外側の先側脚２０が手前側（図４では下側）に回動できる一方、最内側の先側脚５０が奥側（図４では上側）に回動できるようになっている。
【００３６】
そして、この実施例の物干し具では、図１及び図４に示すように完全に折畳んだ状態で、最外側の可動体２（符号２０の先側脚）又は最内側の可動体５（符号５０の先側脚）が不用意に回動するのを防止するためのロックレバー１３を有している。このロックレバー１３は、各可動体の折畳み状態において、４本の先側脚２０，３０，４０，５０に跨がる長さを有し、該ロックレバー１３の一端部を支軸１４で最内側（第４可動体５）の先側脚５０の側面（横アーム取付け側の側面）に枢支して、該ロックレバー１３を図１及び図３に実線図示する横倒し姿勢（ロック姿勢）と鎖線図示（符号１３′）する上方立ち起こし姿勢（ロック解除姿勢）との間で揺動させ得るようにしている。そして、ロックレバー１３を横倒し姿勢にした状態では、図１及び図４に示すように該ロックレバー１３が最内側の先側脚５０から最外側の先側脚２０までの範囲に跨がっているので、最外側の先側脚２０及び最内側の先側脚５０の各回動が規制されて、各可動体が不用意に開かないようになっている。又、ロックレバー１３を上方に立ち起こすと、該ロックレバー１３によるロックが解除されて、各可動体を順次開放させることができる。
【００３７】
この実施例の物干し具は、次のような機能を有している。
【００３８】
まず、使用時には、図５に示すように、各可動体２，３，４，５を基側脚１の支軸１１部分を中心に順次所定角度をもたせて開くと、１本の基側脚１と４本の先側脚２０，３０，４０，５０が接地する面積範囲が広くなって、この物干し具を安定姿勢で自立させることができる。そして、各可動体２，３，４，５の適宜の横アーム２１，３１，４１，５１（前部で１２本ある）に干し物Ｙを掛けて干すことができる。尚、干し場所のスペースによっては、各可動体２，３，４，５のそれぞれの開放角度を小さくすることができる一方、干し物Ｙの量が少ない場合には、基軸脚１に対して１個又は２個の可動体のみを開放させるようにしてもよい。
【００３９】
他方、不使用時には、図１に示すように完全に折畳むと、各可動体２，３，４，５が側面視において相互に重合するように折畳むことができる。この折畳み状態では、物干し具の全体厚さＳが非常に薄くなり（図示例のものではＳ＝３.５cm程度）、持ち運びが容易になるとともに、狭い保管スペースに保管できる。
【００４０】
尚、この実施例のように、各可動体２，３，４，５を折畳み状態でロックレバー１３によりロックしておくと、物干し具が折畳み姿勢で安定し、持ち運び時の取り扱いがし易くなる。
【符号の説明】
【００４１】
１は基軸脚、２〜５はそれぞれ可動体、１１は支軸、１３はロックレバー、２０，３０，４０，５０はそれぞれ先側脚、２１，３１，４１，５１はそれぞれ横アームである。
【図１】
2010259711.tif 000003
【図２】
2010259711.tif 000004
【図３】
2010259711.tif 000005
【図４】
2010259711.tif 000006
【図５】
2010259711.tif 000007
【図６】
2010259711.tif 000008
【図７】
2010259711.tif 000009
【図８】
2010259711.tif 000010
【図９】
2010259711.tif 000011